(57)【特許請求の範囲】
【請求項１】
出力が交流電力網に接続されるDC-ACインバータ回路を含む、シングルステージ太陽光発電グリッドタイインバータであって、
太陽光発電アレイと前記DC-ACインバータ回路との間に直列に接続されるDC-DC昇圧回路、及び前記DC-DC昇圧回路に並列に接続されるバイパス素子をさらに含み、
前記DC-DC昇圧回路の定格電力容量Pdcが前記DC-ACインバータ回路の定格電力容量Pacよりも小さいことを特徴とするシングルステージ太陽光発電グリッドタイインバータ。
【請求項２】
前記DC-DC昇圧回路の定格電力容量Pdcが前記DC-ACインバータ回路の定格電力容量Pacよりも小さいことは、Pdc≦０.５Pacであることを含むことを特徴とする請求項１に記載のシングルステージ太陽光発電グリッドタイインバータ。
【請求項３】
前記シングルステージ太陽光発電グリッドタイインバータは、前記バイパス素子のオンとオフを制御するための制御回路をさらに含み、
前記太陽光発電アレイの最大電力点電圧値Upv_mpptが前記交流電力網の電圧ピークよりも小さい場合に、又は、前記太陽光発電アレイの出力電力Ppvが前記DC-DC昇圧回路の定格電力容量Pdcよりも小さい場合に、前記制御回路が前記バイパス素子をオフに制御し、前記DC-DC昇圧回路が動作するように制御し、
前記太陽光発電アレイの最大電力点電圧Upv_mpptが前記交流電力網の電圧ピーク以上である場合に、又は、前記太陽光発電アレイの出力電力Ppvが前記DC-DC昇圧回路の定格電力容量Pdc以上である場合に、前記制御回路が前記バイパス素子をオンに制御し、前記DC-DC昇圧回路が動作しないように制御することを特徴とする請求項１に記載のシングルステージ太陽光発電グリッドタイインバータ。
【請求項４】
前記バイパス素子は、電動スイッチ、又は高圧直流リレー、又は高圧MOSFET、又は高圧IGBTを含むことを特徴とする請求項１〜３のいずれか一項に記載のシングルステージ太陽光発電グリッドタイインバータ。
【請求項５】
前記DC-ACインバータ回路は、２レベルトポロジー又はマルチレベルトポロジーを採用することを特徴とする請求項１〜３のいずれか一項に記載のシングルステージ太陽光発電グリッドタイインバータ。
【請求項６】
前記DC-ACインバータ回路は、三相インバータ回路又は単相インバータ回路を含むことを特徴とする請求項１〜３のいずれか一項に記載のシングルステージ太陽光発電グリッドタイインバータ。
【請求項７】
請求項１〜３のいずれか一項に記載のシングルステージ太陽光発電グリッドタイインバータに用いられるDC-DC昇圧回路。
【請求項８】
太陽光発電アレイと、請求項１〜３のいずれか一項に記載のシングルステージ太陽光発電グリッドタイインバータとを含む太陽光発電システム。
【請求項９】
請求項１又は２に記載のシングルステージ太陽光発電グリッドタイインバータに用いられる制御方法であって、
前記太陽光発電アレイの最大電力点電圧値Upv_mpptを取得し、
前記太陽光発電アレイの出力電力Ppvを取得し、
前記太陽光発電アレイの最大電力点電圧値Upv_mpptと前記交流電力網の電圧ピークとの大きさを比較し、
前記太陽光発電アレイの出力電力Ppvと前記DC-DC昇圧回路の定格電力容量Pdcとの大きさを比較し、
比較結果に応じて、前記バイパス素子のオンとオフ、及び前記DC-DC昇圧回路が動作するか否かを制御することを含むことを特徴とするシングルステージ太陽光発電グリッドタイインバータの制御方法。
【請求項１０】
比較結果に応じて、前記バイパス素子のオンとオフ、及び前記DC-DC昇圧回路が動作するか否かを制御することは、
前記太陽光発電アレイの最大電力点電圧値Upv_mpptが前記交流電力網の電圧ピークよりも小さい場合に、又は、前記太陽光発電アレイの出力電力Ppvが前記DC-DC昇圧回路の定格電力容量Pdcよりも小さい場合に、前記バイパス素子をオフに制御し、前記DC-DC昇圧回路が動作するように制御し、
前記太陽光発電アレイの最大電力点電圧Upv_mpptが前記交流電力網電圧ピーク以上である場合に、又は、前記太陽光発電アレイの出力電力Ppvが前記DC-DC昇圧回路の定格電力容量Pdc以上である場合に、前記バイパス素子をオンに制御し、前記DC-DC昇圧回路が動作しないように制御することを含むことを特徴とする請求項９に記載のシングルステージ太陽光発電グリッドタイインバータの制御方法。
【発明の詳細な説明】
【技術分野】
【０００１】
本出願は、２０１４年７月１５日に中国専利局に提出した、出願番号が２０１４１０３３５４６５.２であって、発明の名称が「シングルステージ太陽光発電グリッドタイインバータ及びその制御方法、応用」である中国特許出願の優先権を主張し、その全ての内容は援用により本出願に組み込まれる。
【０００２】
本出願は、シングルステージ太陽光発電グリッドタイインバータに関し、具体的に、DC-ACインバータ回路を含むシングルステージ太陽光発電グリッドタイインバータ及びその制御方法、応用に関する。
【背景技術】
【０００３】
太陽光発電グリッドタイインバータが正常なグリッドタイ発電を行うには、一定のグリッドタイ条件、例えば、太陽光発電グリッドタイインバータの直流バス電圧が電力網電圧のピーク以上である、を満たす必要がある。太陽光発電グリッドタイインバータの作業効率を向上させるために、インバータメーカーは、一般に多くのソーラーパネルを配置することで太陽光発電アレイの開放電圧を高めるか、DC-ACインバータ回路の前ステージにその電力容量にマッチングするDC-DC昇圧回路を接続するかによって、グリッドタイ条件を満たす。
【０００４】
DC-ACインバータ回路の前ステージにその電力容量に適したDC-DC昇圧回路が接続されたものを採用する場合について、通常の設計思想は、前ステージのDC-DC昇圧回路で太陽光発電アレイ出力電圧の昇圧機能を果たすことであり、このようにすれば、太陽光発電アレイで配置されるソーラーパネルを数多く要しない。しかしながら、このような設計思想は、DC-DC昇圧回路とDC-ACインバータ回路との電力容量を適合させるため、コストが高くなり、また、DC-DC昇圧回路がDC-ACインバータ回路とともに長時間動作する必要があるので、スイッチング損失が大きくなり、インバータが全体として効率が低い、という短所がある。一つの改善として、DC-DC昇圧回路に一つのコンタクターを並列に接続させ、ある特別な場合では、例えば、日照が特に良くてグリッドタイ条件を満足する時には、コンタクターをオンにし、DC-DC昇圧回路が短時間で動作しないようにすることができる。このような改善はスイッチング損失を低減し、変換効率が改善されるが，依然としてコストが高い問題がある。
【０００５】
従来、シングルステージDC-ACインバータ回路を含む太陽光発電グリッドタイインバータを採用する場合について、インバータメーカーは、通常、数多くのソーラーパネルを配置することで太陽光発電アレイの開放電圧を向上させることを考慮する。このようなシングルステージ太陽光発電グリッドタイインバータは、回路が簡単で、出力電力がメガワットに達し、単位発電コストが低い等の長所があり、大型の太陽光発電所において広く応用されている。ただし、ソーラーパネルの配置が適量であっても、朝晩又は陰雨天気等の照射が弱い場合には、依然としてグリッドタイ条件を満足せず、太陽光発電グリッドタイインバータがグリッドタイ発電を行うことができず、発電量が損なわれる。
【発明の概要】
【発明が解決しようとする課題】
【０００６】
これに鑑み、本出願が解決しようとする技術的課題は、従来のシングルステージ太陽光発電グリッドタイインバータに対して、発電量を増加できるシングルステージ太陽光発電グリッドタイインバータを提供することである。  
【課題を解決するための手段】
【０００７】
本出願は、出力が交流電力網に接続されるDC-ACインバータ回路を含む、シングルステージ太陽光発電グリッドタイインバータであって、太陽光発電アレイと前記DC-ACインバータ回路との間に直列に接続されるDC-DC昇圧回路と、バイパス素子とをさらに含み、前記バイパス素子が前記DC-DC昇圧回路に並列に接続され、前記DC-DC昇圧回路の定格電力容量Pdcが前記DC-ACインバータ回路の定格電力容量Pacよりも小さいシングルステージ太陽光発電グリッドタイインバータを提供する。
【０００８】
さらに、前記DC-DC昇圧回路の定格電力容量Pdcが前記DC-ACインバータ回路の定格電力容量Pacよりも小さいことは、Pdc≦０.５Pacであることを含む。
【０００９】
さらに、前記シングルステージ太陽光発電グリッドタイインバータは、前記バイパス素子のオンとオフを制御するための制御回路をさらに含み、前記太陽光発電アレイの最大電力点電圧値Upv_mpptが前記交流電力網電圧のピークよりも小さい場合、又は、前記太陽光発電アレイの出力電力Ppvが前記DC-DC昇圧回路の定格電力容量Pdcよりも小さい場合に、前記制御回路が前記バイパス素子をオフにし、前記前記DC-DC昇圧回路が動作するように制御し、前記太陽光発電アレイの最大電力点電圧Upv_mpptが前記交流電力網電圧のピーク以上である場合、又は、前記太陽光発電アレイの出力電力Ppvが前記DC-DC昇圧回路の定格電力容量Pdc以上である場合に、前記制御回路が前記バイパス素子をオンにし、前記DC-DC昇圧回路が動作しないように制御する。
【００１０】
さらに、前記バイパス素子は、電動スイッチ、又は高圧直流リレー、又は高圧MOSFET、又は高圧IGBTである。
【００１１】
さらに、前記DC-ACインバータ回路は、２レベルトポロジー又はマルチレベルトポロジーを採用する。
【００１２】
さらに、前記DC-ACインバータ回路は、三相インバータ回路又は単相インバータ回路を含む。
【００１３】
本出願は、上記シングルステージ太陽光発電グリッドタイインバータに用いられるDC-DC昇圧回路をさらに提供する。
【００１４】
本出願は、太陽光発電アレイと上記シングルステージ太陽光発電グリッドタイインバータとを含む太陽光発電システムをさらに提供する。
【００１５】
本出願は、上記シングルステージ太陽光発電グリッドタイインバータに用いられる制御方法をさらに提供し、前記制御方法は、
前記太陽光発電アレイの最大電力点電圧値Upv_mpptを取得し、
前記太陽光発電アレイの出力電力Ppvを取得し、
前記太陽光発電アレイの最大電力点電圧値Upv_mpptと前記交流電力網電圧のピークとの大きさを比較し、
前記太陽光発電アレイの出力電力Ppvと前記DC-DC昇圧回路の定格電力容量Pdcとの大きさを比較し、
比較結果に応じて前記バイパス素子のオンとオフ及び前記DC-DC昇圧回路が動作するか否かを制御することを含む。
【００１６】
さらに、比較結果に応じて前記バイパス素子のオンとオフ、及び前記DC-DC昇圧回路が動作するか否かを制御することは、前記太陽光発電アレイの最大電力点電圧値Upv_mpptが前記交流電力網電圧ピークよりも小さい場合に、又は、前記太陽光発電アレイ出力電力Ppvが前記DC-DC昇圧回路の定格電力容量Pdcよりも小さい場合に、前記バイパス素子をオフにし、前記前記DC-DC昇圧回路が動作するように制御し、
前記太陽光発電アレイの最大電力点電圧Upv_mpptが前記交流電力網電圧のピーク以上である場合に、又は、前記太陽光発電アレイの出力電力Ppvが前記DC-DC昇圧回路の定格電力容量Pdc以上である場合に、前記バイパス素子をオンにし、前記DC-DC昇圧回路が動作しないように制御することを含む。
【発明の効果】
【００１７】
従来技術に比べて、本出願は以下の長所を有する：
従来のシングルステージ太陽光発電グリッドタイインバータに対して、本出願が提供するシングルステージ太陽光発電グリッドタイインバータは、太陽光発電アレイとDC-ACインバータ回路との間に、DC-DC昇圧回路とバイパス素子が並列である並列接続回路が直列に接続され、DC-DC昇圧回路の定格電力容量PdcがDC-ACインバータ回路の定格電力容量Pacよりも小さく、昼間等の放射輝度が良い長時間帯において、DC-DC昇圧回路が動作しないように制御することにより、効率が高められる。朝晩又は陰雨等の放射輝度が悪い場合には、DC-DC昇圧回路が動作し、グリッドタイ条件を満たすように太陽光発電グリッドタイインバータの直流バス電圧を向上させて、グリッドタイ発電を行い、発電量を増加させることが可能となる。そして、DC-DC昇圧回路の定格電力容量PdcがDC-ACインバータ回路の定格電力容量Pacよりも小さいので、投資コストが大幅に低減される。
【００１８】
本出願の実施例又は従来技術における技術案をより明確に説明するために、以下で実施例又は従来技術の記述において使用する必要がある図面を簡単に紹介し、以下に記述の図面が本出願の実施例に過ぎず、当業者にとって、創造的な労力をしない前提で、提供された図面に応じて他の図面を得ることもできるのは自明である。
【図面の簡単な説明】
【００１９】
【図１】本出願が提供するシングルステージ太陽光発電グリッドタイインバータの実施例１の模式図である。
【図２】本出願が提供するシングルステージ太陽光発電グリッドタイインバータの実施例２の模式図である。
【図３】本出願が提供するDC-DC昇圧回路の実施例の模式図である。
【発明を実施するための形態】
【００２０】
本出願の目的、特徴及び利点をより明白に且つより理解し易くするために、本出願の実施形態について、以下で図面と組み合わせて詳しく説明する。
【００２１】
従来技術のシングルステージ太陽光発電グリッドタイインバータに比べて、本出願は、発電量を向上できるシングルステージ太陽光発電グリッドタイインバータを提供する。
【００２２】
図１を参照すると、図１は本出願が提供するシングルステージ太陽光発電グリッドタイインバータの実施例１の模式図であり、シングルステージ太陽光発電グリッドタイインバータ１０はDC-ACインバータ回路２００を含み、DC-ACインバータ回路２００の出力が交流電力網に接続されており、太陽光発電アレイPVとDC-ACインバータ回路２００との間に直列に接続されるDC-DC昇圧回路１００と、DC-DC昇圧回路１００に並列に接続されるバイパス素子３００とをさらに含み、DC-DC昇圧回路１００の電力容量PdcがDC-ACインバータ回路２００の電力容量Pacよりも小さい。
【００２３】
本出願の実施例が提供するシングルステージ太陽光発電グリッドタイインバータは、通常のシングルステージ太陽光発電グリッドタイインバータのDC-ACインバータ回路の前ステージにDC-DC昇圧回路とバイパス素子との並列接続回路が接続され、太陽光発電グリッドタイインバータの直流入力電圧の動作範囲を拡大し、朝晩又は陰雨等の照射が悪い場合に、DC-DC昇圧回路が動作し、グリッドタイ条件を満たすように太陽光発電グリッドタイインバータの直流バス電圧を向上させて、グリッドタイ発電を行い、発電量を増加させることが可能となり、そして、DC-DC昇圧回路の定格電力容量PdcがDC-ACインバータ回路の定格電力容量Pacよりも小さいので、投資コストが低減される。特に、複数の太陽光発電グリッドタイインバータを要する大型の発電所において、投資コストの回収効率が著しくなる。
【００２４】
選択的に、DC-DC昇圧回路とDC-ACインバータ回路との定格電力容量の配置関係は、Pdc≦０.５Pacであってもよく、具体的に、実装箇所の放射輝度、履歴天気情况等の要因に応じて決定される。定格電力容量が１００KWであるDC-ACインバータ回路を例として、朝晩又は陰雨等の放射輝度が悪い場合にグリッドタイ発電を行うことができない技術的課題の従来の思想は、電力がマッチングするDC-DC昇圧回路を配置することであるが、本出願では、DC-DC昇圧回路の定格電力容量範囲が０-５０KWであり、１０KWであってもよく、電力がマッチングするDC-DC昇圧回路の解決案に対して、発電量を向上させるとともに、投資コストが大幅に低減される。
【００２５】
図２を参照すると、図２は本出願が提供するシングルステージ太陽光発電グリッドタイインバータの実施例２が示されており、実施例１に比べると、シングルステージ太陽光発電グリッドタイインバータ２０は、バイパス素子３００のオフとオンを制御するための制御回路４００をさらに含む。
【００２６】
太陽光発電アレイPVの最大電力点電圧値Upv_mpptが交流電力網電圧のピークよりも小さい場合に、又は、太陽光発電アレイPVの出力電力PpvがDC-DC昇圧回路１００の定格電力容量Pdcよりも小さい場合に、制御回路４００はバイパス素子３００をオフに制御して、DC-DC昇圧回路１００が動作し、太陽光発電アレイPVの最大電力点電圧Upv_mpptが交流電力網電圧ピーク以上である場合又は太陽光発電アレイの出力電力PpvがDC-DC昇圧回路の定格電力容量Pdc以上である場合に、制御回路４００がバイパス素子３００をオンに制御して、DC-DC昇圧回路１００が動作しないように制御する。
【００２７】
図３を参照すると、図３は本出願が提供するDC-DC昇圧回路実施例１の模式図であり、DC-DC昇圧回路１００AとDC-ACインバータ回路２００との間にDCバスコンデンサCが接続されており、DC-DC昇圧回路１００AはインダクタL、ダイオードD、第１のスイッチSを含み、インダクタLの第１の端がバイパス素子３００の第１の端と接続されてDC-DC昇圧回路１００Aの入力正極２０３とされ、DC-DC昇圧回路１００Aの入力正極２０３が太陽光発電アレイPVの正極と接続され、インダクタLの第２の端にダイオードDのアノードが接続され、ダイオードDのカソードがバイパス素子３００の第２の端と接続されてDC-DC昇圧回路１００Aの出力正極とされ、DC-DC昇圧回路１００Aの出力正極がDC-ACインバータ回路２００の直流バス正極２０１と接続され、第１のスイッチSの第１の端にインダクタLとダイオードDとの共通接続点が接続され、第１のスイッチSの第２の端にDC-DC昇圧回路１００Aの負極が接続され、DC-DC昇圧回路１００Aの負極が太陽光発電アレイPVの負極、DC-ACインバータ回路２００の直流バス負極２０２と接続される。
【００２８】
代わりとしては、DC-DC昇圧回路は、非絶縁型フォワード、非絶縁型フライバック、非絶縁プッシュプル回路等の昇圧機能を図ることが可能な任意の回路構成であってもよく、本出願は、これに限定されるものではない。
【００２９】
本出願の全ての実施例において、バイパス素子３００は、電動スイッチ、又は高圧直流リレー、又は高圧MOSFET、又は高圧IGBT等の回路のオン／オフ機能を実現できる全ての電気素子を選択してもよく、同じ機能を実現できる任意の回路であってもよい。
【００３０】
本出願の全ての実施例のDC-ACインバータ回路は、直流を交流に電気変換する任意の回路トポロジーを採用してもよく、例えば、２レベルトポロジーを採用してもよく、又はマルチレベルトポロジー、例えば３レベルトポロジーと５レベルトポロジーを採用してもよく、本出願はこれに限定されるものではない。
【００３１】
さらに、本出願の全ての実施例のDC-ACインバータ回路は、単相インバータ回路であってもよく、三相インバータ回路であってもよく、本出願はこれに限定されるものではない。
【００３２】
本出願の実施例は、上記シングルステージ太陽光発電グリッドタイインバータに用いられるDC-DC昇圧回路をさらに提供する。詳細については、上述の内容を参照されたい。
【００３３】
本出願の実施例は、上記シングルステージ太陽光発電グリッドタイインバータの制御方法をさらに提供し、以下のステップS１１〜ステップS１５のステップを含む。
S１１において、太陽光発電アレイの最大電力点電圧値Upv_mpptを取得する。
S１２において、太陽光発電アレイの出力電力Ppvを取得する。
S１３において、太陽光発電アレイの最大電力点電圧値Upv_mpptと交流電力網電圧ピークとの大きさを比較する。
S１４において、太陽光発電アレイの出力電力Ppvと、DC-DC昇圧回路の定格電力容量Pdcとの大きさを比較する。
S１５において、比較結果に応じてバイパス素子３００のオン／オフを制御することでDC-DC昇圧回路が動作するか否かを制御する。
【００３４】
さらに、S１５において、比較結果に応じてバイパス素子３００のオン／オフを制御するこことでDC-DC昇圧回路が動作するか否かを制御することは、
太陽光発電アレイの最大電力点電圧値Upv_mpptが前記交流電力網電圧ピークよりも小さい場合、又は太陽光発電アレイ出力電力Ppvが前記DC-DC昇圧回路の定格電力容量Pdcよりも小さい場合、バイパス素子３００をオフに制御して、DC-DC昇圧回路が動作し、
太陽光発電アレイの最大電力点電圧Upv_mpptが交流電力網電圧ピーク以上である場合、又は、太陽光発電アレイの出力電力PpvがDC-DC昇圧回路の定格電力容量Pdc以上である場合、バイパス素子３００をオンに制御して、DC-DC昇圧回路が動作しないように制御する、ことをさらに含む。
【００３５】
本出願の実施例は、太陽光発電アレイ及び上記実施例におけるシングルステージ太陽光発電グリッドタイインバータを含む太陽光発電システムをさらに提供する。
【００３６】
以下では、１００KWの太陽光発電システムを例として本出願の有益な効果を記述する。
１００KWの太陽光発電システムは、同じ太陽光発電アレイ、一台の従来のシングルステージ太陽光発電グリッドタイインバータ（シングルINVと省略する）を配置すると、インバータ回路の定格電力容量が少なくとも１００KWであり、一台の従来の電力がマッチングする昇圧回路（DC-DC）とインバータ回路（INV）の２ステージの太陽光発電グリッドタイインバータ（対称型DC-DC+INVと省略する）を配置すると、昇圧回路とインバータ回路との定格電力容量がマッチングしなければならず、且つ少なくとも１００KWでなければならず、本出願の実施例が提供するシングルステージ太陽光発電グリッドタイインバータは（非対称型DC-DC+INVと省略する）、インバータ回路の定格電力容量が少なくとも１００KWであり、昇圧回路の定格電力容量が８KWであると想定する。昇圧回路のコストは０.１元/ワットであり、インバータ回路のコストが０.２元/ワットである。
【００３７】
朝晩又は陰雨等の放射輝度が悪い場合に、太陽光発電アレイの出力電力が８KWに達することが可能であると想定し、シングルINVシステムがDC-DCを有しないので、グリッドタイ条件を満たさず、シングルINVがグリッドタイ発電を行うことができないが、対称型DC-DC+INVと非対称DC-DC+INVとは、いずれも正常に発電できる。１年の３６５日の毎日に太陽光発電システムの照射状況が同じであると想定し、平均化すると、毎日のこのような太陽光発電アレイ出力電力が無視できず、シングルINVグリッドタイ条件を満たさない総時間が１時間であり、現在の電力補助金を１.５元/ワットとして算出すると、シングルINV、対称型DC-DC+INV、非対称型DC-DC+INVの設計パラメータと発電量とはそれぞれ以下のとおりである：
【００３８】
【表１】
0006424365.tif 000002
【００３９】
三つのシステムにおいて、シングルINVシステムは最も安く、対称型DC-DC+INVは最も高く、シングルINVは１年の増加発電収益が０であり、非対称型DC-DC+INVと対称型DC-DC+INVとは１年の増加発電収益が等しい。このように、非対称DC-DC+INVを採用する太陽光発電システムのコストパフォーマンスが最高であり、投資コストの回収速度が最速である。
【００４０】
従来のシングルステージ太陽光発電グリッドタイインバータに対して、本出願はシングルステージ太陽光発電グリッドタイインバータを提供し、太陽光発電アレイとDC-ACインバータ回路との間にDC-DC昇圧回路とバイパス素子との並列接続回路が直列に接続され、DC-DC昇圧回路の定格電力容量PdcがDC-ACインバータ回路の定格電力容量Pacよりも小さく、昼間等の放射輝度が良い時間帯において、DC-DC昇圧回路が動作しないように制御することにより、シングルステージ太陽光発電グリッドタイインバータの作業効率が高められる。朝晩又は陰雨等の放射輝度が悪い場合には、DC-DC昇圧回路が動作し、グリッドタイ条件を満たすように太陽光発電グリッドタイインバータの直流バス電圧を向上させて、グリッドタイ発電を行って、発電量を増加させることが可能となる。そして、DC-DC昇圧回路の定格電力容量PdcがDC-ACインバータ回路の定格電力容量Pacよりも小さいので、投資コストが大幅に低減され、且つ回収速度が向上される。
【００４１】
以上は、本出願の好ましい実施形態に過ぎず、本出願を限定することを意味するものではない。好ましい実施形態として、本出願を上述のように開示したが、これらは本出願を限定するものではない。当業者であれば、本出願の技術案の範囲を逸脱せずに、上記に開示された方法及び技術的内容に基づいて、本出願の技術案に幾つかの変形及び改良を加えることが可能であり、又は、幾つかの均等な変形を加える均等な実施形態に改変することができる。本出願の技術案の内容から逸脱しない範囲で、本出願の技術的本質に基づいて上記の実施例に対してなされる全ての簡単な改変、均等な変形及び改良も、本出願の技術案の保護範囲に属する。
【図１】
0006424365.tif 000003
【図２】
0006424365.tif 000004
【図３】
0006424365.tif 000005